(57)【要約】【課題】記録品質の低下を抑制し、良好な記録品質を安定して得ることができる記録条件設定方法を提供する。【解決手段】情報記録媒体に予め記録されている情報記録媒体を同定するための同定情報が取得され（ステップ４０３）、その同定情報をキーとして、情報記録媒体毎に履歴情報が記録されているテーブルが検索され、同定情報に対応する情報記録媒体の履歴情報が取得される（ステップ４０５、４０９）。そして、光源近傍の温度情報が検出され（ステップ４１１）、その温度情報と取得された履歴情報とに基づいて、情報記録媒体に情報を記録する際の記録パワーが求められ（ステップ４１９）。それにより、情報記録媒体に情報を記録する際の光源の温度が、前回記録条件を設定したときの光源の温度と異なっていても、試し書き領域を消費することなく、新たに最適な記録条件を設定することができる。【選択図】　図５
2004086945.tif 000002
【特許請求の範囲】
【請求項１】
光源から出射された光束を用いて情報記録媒体に情報を記録する際の記録条件を設定する記録条件設定方法であって、
前記情報記録媒体に予め記録されている前記情報記録媒体を同定するための同定情報を取得する第１工程と；
前記第１工程で取得された同定情報に基づいて、情報記録媒体毎に、予め試し書きによって取得された最適な記録パワーと前記試し書きのときの前記光源近傍の温度情報とが履歴情報として予め記録されているテーブルを検索し、前記同定情報に対応する情報記録媒体の履歴情報を取得する第２工程と；
前記光源近傍の温度情報を検出する第３工程と；
前記第２工程で取得された履歴情報と前記第３工程で検出された温度情報とに基づいて、前記情報記録媒体に情報を記録する際の記録パワーを求め、その記録パワーを前記記録条件として設定する第４工程と；を含む記録条件設定方法。
【請求項２】
前記第１工程に先だって、
前記情報記録媒体に前記同定情報が記録されているか否かを判断する第５工程と；
その判断の結果として前記同定情報が記録されていない場合に、新たな同定情報を作成し、その同定情報を前記情報記録媒体の所定位置に記録する第６工程と；を更に含むことを特徴とする請求項１に記載の記録条件設定方法。
【請求項３】
前記第２工程では、異なる温度情報に対応する履歴情報を取得し、
前記第４工程では、前記第２工程で取得された履歴情報を用いて所定の演算を行い、前記情報記録媒体に情報を記録する際の記録パワーを求めることを特徴とする請求項１又は２に記載の記録条件設定方法。
【請求項４】
前記演算は、近似演算又は補間演算であることを特徴とする請求項３に記載の記録条件設定方法。
【請求項５】
前記第４工程に先だって、
前記第２工程で取得された履歴情報に基づいて有効温度範囲を設定する第７工程と；
前記第３工程で検出された温度情報から得られた温度が前記有効温度範囲内に含まれるか否かを判断する第８工程と；
その判断の結果として前記温度が前記有効温度範囲内に含まれない場合に、前記情報記録媒体の所定位置に試し書きを行い、最適な記録パワーを取得するとともに、その最適な記録パワーを前記情報記録媒体に情報を記録する際の記録パワーとする第９工程と；を更に含むことを特徴とする請求項１〜４のいずれか一項に記載の記録条件設定方法。
【請求項６】
前記光源近傍の温度情報を取得し、その温度情報と前記第９工程で取得された最適な記録パワーと前記同定情報とを対応付けて、履歴情報として前記テーブルに追加する第１０工程を更に含むことを特徴とする請求項５に記載の記録条件設定方法。
【請求項７】
光源から出射された光束を用いて情報記録媒体に情報を記録する際の記録条件を設定する記録条件設定方法であって、
前記情報記録媒体に対する試し書きの結果、又は情報の記録時の前記情報記録媒体からの反射光の受光結果に基づいて前記光源の最適な記録パワーと、そのときの前記光源近傍の温度情報とを求める第１工程と；
前記第１工程で求められた最適な記録パワーとそれに対応する温度情報とをメモリに記録する第２工程と；
前記情報記録媒体に対する情報の記録開始前に、前記光源近傍の温度情報を検出し、その温度情報が前記メモリに記録されている温度情報のいずれかと一致するか否かを判断する第３工程と；
前記判断の結果、一致している場合には、前記温度情報に対応する前記メモリに記録されている最適な記録パワーを、前記記録条件として設定する第４工程と；を含む記録条件設定方法。
【請求項８】
前記判断の結果、一致していない場合には、前記メモリに記録されている前記温度情報と最適な記録パワーとの複数組の組み合わせに基づいて、前記第３工程で検出された前記光源近傍の温度情報に対応する最適な記録パワーを推定し、その最適な記録パワーを前記記録条件として設定する第５工程を更に含むことを特徴とする請求項７に記載の記録条件設定方法。
【請求項９】
前記推定は、前記温度情報と最適な記録パワーとの複数組の組み合わせを用いた近似計算又は補間計算によって行われることを特徴とする請求項８に記載の記録条件設定方法。
【請求項１０】
前記第２工程では、前記最適な記録パワー、温度情報と共に前記情報記録媒体の識別情報を前記メモリに記憶することを特徴とする請求項７〜９のいずれか一項に記載の記録条件設定方法。
【請求項１１】
光源から出射された光束を用いて情報記録媒体に情報を記録する情報記録装置で用いられるプログラムであって、
前記情報記録媒体に予め記録されている前記情報記録媒体を同定するための同定情報を取得する第１の手順と；
前記第１の手順で取得された同定情報に基づいて、情報記録媒体毎に、予め試し書きによって取得された最適な記録パワーと前記試し書きのときの前記光源近傍の温度情報とが履歴情報として予め記録されているテーブルを検索し、前記同定情報に対応する情報記録媒体の履歴情報を取得する第２の手順と；
前記光源近傍の温度情報を検出する第３の手順と；
前記第２の手順で取得された履歴情報と前記第３の手順で検出された温度情報とに基づいて、前記情報記録媒体に情報を記録する際の記録パワーを求める第４の手順と；を前記情報記録装置の制御用コンピュータに実行させるプログラム。
【請求項１２】
前記第１の手順に先だって、
前記情報記録媒体に前記同定情報が記録されているか否かを判断する第５の手順と；
その判断の結果として前記同定情報が記録されていない場合に、新たな同定情報を作成し、その同定情報を前記情報記録媒体の所定位置に記録する第６の手順と；を前記制御用コンピュータに更に実行させることを特徴とする請求項１１に記載のプログラム。
【請求項１３】
前記第２の手順として、異なる温度情報に対応する履歴情報を取得する手順を前記制御用コンピュータに実行させ、
前記第４の手順として、前記第２の手順で取得された履歴情報を用いて所定の演算を行い、前記情報記録媒体に情報を記録する際の記録パワーを求める手順を前記制御用コンピュータに実行させることを特徴とする請求項８又は９に記載のプログラム。
【請求項１４】
前記演算は、近似演算又は補間演算であることを特徴とする請求項１３に記載のプログラム。
【請求項１５】
前記第４の手順に先だって、
前記第２の手順で取得された履歴情報に基づいて有効温度範囲を設定する第７の手順と；
前記第３の手順で検出された温度情報から得られた温度が前記有効温度範囲内に含まれるか否かを判断する第８の手順と；
その判断の結果として前記温度が前記有効温度範囲内に含まれない場合に、前記情報記録媒体の所定位置に試し書きを行い、最適な記録パワーを取得するとともに、その最適な記録パワーを前記情報記録媒体に情報を記録する際の記録パワーとする第９の手順と；を前記制御用コンピュータに更に実行させることを特徴とする請求項１１〜１４のいずれか一項に記載のプログラム。
【請求項１６】
前記光源近傍の温度情報を取得し、その温度情報と前記第９の手順で取得された最適な記録パワーと前記同定情報とを対応付けて、履歴情報として前記テーブルに追加する第１０の手順を前記制御用コンピュータに更に実行させることを特徴とする請求項１５に記載のプログラム。
【請求項１７】
光源から出射された光束を用いて情報記録媒体に情報を記録する情報記録装置で用いられるプログラムであって、
前記情報記録媒体に対する試し書きの結果、又は情報の記録時の前記情報記録媒体からの反射光の受光結果に基づいて前記光源の最適な記録パワーと、そのときの前記光源近傍の温度情報とを求める第１の手順と；
前記第１の手順で求められた最適な記録パワーとそれに対応する温度情報とをメモリに記録する第２の手順と；
前記情報記録媒体に対する情報の記録開始前に、前記光源近傍の温度情報を検出し、その温度情報が前記メモリに記録されている温度情報のいずれかと一致するか否かを判断する第３の手順と；
前記判断の結果、一致している場合には、前記温度情報に対応する前記メモリに記録されている最適な記録パワーを、前記情報記録媒体に情報を記録する際の記録パワーとする第４の手順と；を前記情報記録装置の制御用コンピュータに実行させるプログラム。
【請求項１８】
前記判断の結果、一致していない場合には、前記メモリに記録されている前記温度情報と最適な記録パワーとの複数組の組み合わせに基づいて、前記第３の手順で検出された前記光源近傍の温度情報に対応する最適な記録パワーを推定し、その最適な記録パワーを前記情報記録媒体に情報を記録する際の記録パワーとする第５の手順を前記制御用コンピュータに更に実行させることを特徴とする請求項１７に記載のプログラム。
【請求項１９】
前記推定は、前記温度情報と最適な記録パワーとの複数組の組み合わせを用いた近似計算又は補間計算によって行われることを特徴とする請求項１８に記載のプログラム。
【請求項２０】
前記第２の手順として、前記最適な記録パワー、温度情報と共に前記情報記録媒体の識別情報を前記メモリに記憶する手順を前記制御用コンピュータに実行させることを特徴とする請求項１７〜１９のいずれか一項に記載のプログラム。
【請求項２１】
請求項１１〜２０のいずれか一項に記載のプログラムが記録されたコンピュータ読み取り可能な記録媒体。
【請求項２２】
光源から出射された光束を用いて情報記録媒体に情報を記録する情報記録装置であって、
情報記録媒体毎に、予め試し書きによって取得された最適な記録パワーと前記試し書きのときの前記光源近傍の温度情報とを含む履歴情報が記録されたテーブルが格納された記憶手段と；
前記光源近傍の温度情報を検出する温度検出手段と；
前記情報記録媒体に予め記録されている前記情報記録媒体を同定するための同定情報を取得する同定情報取得手段と；
前記同定情報取得手段で取得された同定情報に基づいて、前記テーブルを検索し、前記同定情報に対応する情報記録媒体の履歴情報を取得する履歴情報取得手段と；
前記温度検出手段で検出された温度情報と前記履歴情報取得手段で取得された履歴情報とに基づいて、前記情報記録媒体に情報を記録する際の記録パワーを求め、その記録パワーを記録条件として設定する記録パワー設定手段と；
前記記録パワー設定手段で設定された記録条件に基づいて前記情報記録媒体に情報を記録する記録手段と；を備える情報記録装置。
【請求項２３】
前記情報記録媒体に前記同定情報が記録されているか否かを判断する第１の判断手段と；
その判断の結果として前記同定情報が記録されていない場合に、新たな同定情報を作成し、その同定情報を前記情報記録媒体の所定位置に記録する同定情報記録手段と；を更に備えることを特徴とする請求項２２に記載の情報記録装置。
【請求項２４】
前記記録パワー設定手段は、前記履歴情報取得手段で取得された履歴情報を用いて所定の演算を行い、前記情報記録媒体に情報を記録する際の記録パワーを求めることを特徴とする請求項２２又は２３に記載の情報記録装置。
【請求項２５】
前記演算は、近似演算又は補間演算であることを特徴とする請求項２４に記載の情報記録装置。
【請求項２６】
前記記録パワー設定手段は、
前記履歴情報取得手段で取得された履歴情報に基づいて有効温度範囲を設定する温度範囲設定手段と；
前記温度検出手段で検出された温度情報から得られた温度が前記有効温度範囲内に含まれるか否かを判断する第２の判断手段と；
その判断の結果として前記温度が前記有効温度範囲内に含まれる場合に、前記温度検出手段で検出された温度情報に対応する記録パワーを前記履歴情報に基づいて算出し、その算出結果を前記情報記録媒体に情報を記録する際の記録パワーとする第１の設定手段と；
前記判断の結果として前記温度が前記有効温度範囲内に含まれない場合に、前記情報記録媒体の所定位置に試し書きを行い、最適な記録パワーを取得するとともに、その最適な記録パワーを前記情報記録媒体に情報を記録する際の記録パワーとする第２の設定手段と；を備えることを特徴とする請求項２３に記載の情報記録装置。
【請求項２７】
前記第２の設定手段は、前記温度検出手段を介して前記試し書きを行った際の前記光源近傍の温度情報を取得し、その温度情報と前記試し書きによって取得された最適な記録パワーと前記同定情報とを対応付けし、履歴情報として前記テーブルに追加することを特徴とする請求項２６に記載の情報記録装置。
【請求項２８】
光源から出射された光束を用いて情報記録媒体に情報を記録する情報記録装置であって、
記憶手段と；
前記光源近傍の温度情報を検出する温度検出手段と；
前記情報記録媒体に対する試し書きの結果、又は情報の記録時の前記情報記録媒体からの反射光の受光結果に基づいて前記光源の最適な記録パワーと、そのときの前記光源近傍の温度情報とを求める履歴取得手段と；
前記履歴取得手段で求められた最適な記録パワーとそれに対応する温度情報とを前記記憶手段に記録する履歴記録手段と；
前記情報記録媒体に対する情報の記録開始前に、前記温度検出手段を介して前記光源近傍の温度情報を検出し、その温度情報が前記記憶手段に記録されている温度情報のいずれかと一致するか否かを判断する判断手段と；
前記判断の結果、一致している場合には、前記温度情報に対応する前記記憶手段に記録されている最適な記録パワーを、前記情報記録媒体に情報を記録する際の記録パワーとする第１の記録パワー取得手段と；を備える情報記録装置。
【請求項２９】
前記判断の結果、一致していない場合には、前記記憶手段に記録されている前記温度情報と最適な記録パワーとの複数組の組み合わせに基づいて、前記温度検出手段で検出された前記光源近傍の温度情報に対応する最適な記録パワーを推定し、その最適な記録パワーを前記情報記録媒体に情報を記録する際の記録パワーとする第２の記録パワー取得手段を更に備えることを特徴とする請求項２８に記載の情報記録装置。
【請求項３０】
前記推定は、前記温度情報と最適な記録パワーとの複数組の組み合わせを用いた近似計算又は補間計算によって行われることを特徴とする請求項２９に記載の情報記録装置。
【請求項３１】
前記履歴記録手段は、前記最適な記録パワー、温度情報と共に前記情報記録媒体の識別情報を前記記憶手段に記憶することを特徴とする請求項２８〜３０のいずれか一項に記載の情報記録装置。
【請求項３２】
前記記憶手段は不揮発性のメモリであることを特徴とする請求項２２〜３１のいずれか一項に記載の情報記録装置。
【発明の詳細な説明】
【０００１】
【発明の属する技術分野】
本発明は、記録条件設定方法、プログラム及び記録媒体、並びに情報記録装置に係り、更に詳しくは、情報記録媒体に情報を記録する際の記録条件を設定する記録条件設定方法、情報記録装置で用いられるプログラム及び該プログラムが記録された記録媒体、並びに情報記録媒体に情報を記録する情報記録装置に関する。
【０００２】
【従来の技術】
近年、パーソナルコンピュータは、その機能が向上するに伴い、音楽や映像といったＡＶ（Ａｕｄｉｏ−Ｖｉｓｕａｌ）情報を取り扱うことが可能となってきた。これらＡＶ情報の情報量は非常に大きいために、情報記録媒体としてＣＤ（ｃｏｍｐａｃｔ　ｄｉｓｃ）やＤＶＤ（ｄｉｇｉｔａｌ　ｖｅｒｓａｔｉｌｅ　ｄｉｓｃ）などの光ディスクが注目されるようになり、その低価格化とともに、情報記録装置としての光ディスク装置がパーソナルコンピュータの周辺機器の一つとして普及するようになった。光ディスク装置では、光ディスクのスパイラル状又は同心円状のトラックが形成された記録面にレーザ光の微小スポットを照射することにより情報の記録及び消去を行い、記録面からの反射光に基づいて情報の再生などを行っている。そして、光ディスク装置には、情報記録媒体の記録面にレーザ光を照射するとともに、記録面からの反射光を受光するために、光ピックアップ装置が設けられている。
【０００３】
通常、光ピックアップ装置は、レーザ光を所定の発光パワー（出力）で出射する光源、その光源から出射されるレーザ光を情報記録媒体の記録面に導くとともに、記録面で反射されたレーザ光を所定の受光位置まで導く光学系、及びその受光位置に配置された受光素子などを備えている。
【０００４】
光ディスクでは、互いに反射率の異なるマーク（ピット）領域及びスペース領域のそれぞれの長さとそれらの組み合わせとによって情報が記録される。そこで、光ディスクに情報を記録する際には所定の位置に所定の長さのマーク領域及びスペース領域がそれぞれ形成されるように光源の発光パワーが制御される。
【０００５】
例えば、記録層に有機色素を含むＣＤ−Ｒ（ＣＤ−ｒｅｃｏｒｄａｂｌｅ）、ＤＶＤ−Ｒ（ＤＶＤ−ｒｅｃｏｒｄａｂｌｅ）、及びＤＶＤ＋Ｒ（ＤＶＤ＋ｒｅｃｏｒｄａｂｌｅ）などの追記型の光ディスク（以下、便宜上「色素型ディスク」という）では、マーク領域を形成するときには発光パワーを大きくして色素を加熱及び溶解し、そこに接している基板部分を変質・変形させている。一方、スペース領域を形成するときには基板が変質・変形しないように発光パワーを再生時と同程度に小さくしている。これにより、マーク領域ではスペース領域よりも反射率が低くなる。
【０００６】
一般的に色素型ディスクでは、レーザ光の波長変化に対する記録感度の変化が比較的大きい。従って、レーザ光の波長が変化すると、マーク領域を形成するときの最適な発光パワー（以下「記録パワー」ともいう）も変化する。また、光ピックアップ装置では、光源の温度が変化すると光源から出射されるレーザ光の波長も変化する。すなわち、光源の温度が変化すると最適な記録パワーは変化することとなる。
【０００７】
そこで、例えば特開２００１−２９７４３７号公報（以下「第１の公知例」という）には、光ピックアップ装置の近傍に温度センサを配置した光記録装置が開示されている。この光記録装置では、記録を行う際に光ピックアップ装置近傍の温度を温度センサで検出し、温度変化が所定の値以上になると、試し書きを行って最適な記録パワーを求める、いわゆるＯＰＣ（Ｏｐｔｉｍｕｍ　Ｐｏｗｅｒ　Ｃｏｎｔｒｏｌ）を実行している。
【０００８】
また、例えば特開平５−１４４０６１号公報（以下「第２の公知例」という）には、光ディスクの識別コード毎に、レーザダイオードから放射されるレーザビームの最適記録パワーとそれを求めたときのレーザダイオード近傍の温度情報とが対応付けられて、メモリに格納されているレーザダイオードの放射パワー制御装置が開示されている。この放射パワー制御装置では、光ディスクへの記録開始前に、その光ディスクに記録されている識別コードを読み出し、その識別コードに対応する温度情報をメモリから抽出し、温度センサで検出されたレーザダイオード近傍の温度情報との差が所定の値以上になると、ＯＰＣを行って最適記録パワーを求めている。
【０００９】
さらに、例えば特開平６−７６２８８号公報（以下「第３の公知例」という）には、いわゆるランニングＯＰＣによって記録パワーを修正する光ディスク装置が開示されている。この光ディスク装置では、記録時には、先ず通常のＯＰＣによって最適な記録パワーを求め、その記録パワーで記録を開始する。そして、ピットを形成中にその記録領域からの反射光の強度を検出し、その検出結果と所定の目標値との差に基づいて記録パワーを修正している。
【００１０】
【発明が解決しようとする課題】
追記型の光ディスクには、その光ディスクに最適な記録パワーを検出するための試し書き領域が設けられている。この領域はパワーキャリブレーションエリア（ＰＣＡ：Ｐｏｗｅｒ　Ｃａｌｉｂｒａｔｉｏｎ　Ａｒｅａ）と呼ばれている。例えばＣＤ−Ｒでは、ＰＣＡは１００個のパーティションに分割されたテストエリアを有している。そして、テストエリアの各パーティションは１５個のフレームで構成されている。通常、ＯＰＣでは１つのパーティションを用いて、一定の線速度でフレーム毎に記録パワーを段階的に変化させて所定のデータを試し書きし、その中で最も高い記録品質を示した記録パワーを最適な記録パワーとして選択する。上述した第１の公知例に開示されている光記録装置及び第２の公知例に開示されている放射パワー制御装置では、温度変化が所定の値以上になる度にＯＰＣを実行しているため、試し書き領域が不足するという不都合があった。また、上述した第３の公知例に開示されている光ディスク装置では、記録に先だって必ずＯＰＣを実行しているため、少量のデータの記録を繰り返し行うと、試し書き領域が不足するという不都合があった。
【００１１】
本発明は、かかる事情の下になされたもので、その第１の目的は、記録品質の低下を抑制し、良好な記録品質を安定して得ることができる記録条件設定方法を提供することにある。
【００１２】
また、本発明の第２の目的は、情報記録装置の制御用コンピュータにて実行され、記録品質の低下を抑制し、良好な記録品質を安定して得ることができるプログラム及びそのプログラムが記録された記録媒体を提供することにある。
【００１３】
また、本発明の第３の目的は、記録品質に優れた記録を安定して行うことができる情報記録装置を提供することにある。
【００１４】
【課題を解決するための手段】
請求項１に記載の発明は、光源から出射された光束を用いて情報記録媒体に情報を記録する際の記録条件を設定する記録条件設定方法であって、前記情報記録媒体に予め記録されている前記情報記録媒体を同定するための同定情報を取得する第１工程と；前記第１工程で取得された同定情報に基づいて、情報記録媒体毎に、予め試し書きによって取得された最適な記録パワーと前記試し書きのときの前記光源近傍の温度情報とが履歴情報として予め記録されているテーブルを検索し、前記同定情報に対応する情報記録媒体の履歴情報を取得する第２工程と；前記光源近傍の温度情報を検出する第３工程と；前記第１工程で取得された履歴情報と前記第３工程で検出された温度情報とに基づいて、前記情報記録媒体に情報を記録する際の記録パワーを求め、その記録パワーを前記記録条件として設定する第４工程と；を含む記録条件設定方法。
【００１５】
本明細書において、「温度情報」とは、温度そのものの他、温度の変化に応じて変化する情報、及び温度に換算することができる情報の全てを含む。
【００１６】
これによれば、記録条件を設定する際に、情報記録媒体に予め記録されている情報記録媒体を同定するための同定情報が取得され（第１工程）、その同定情報をキーとして、情報記録媒体毎に履歴情報が記録されているテーブルが検索され、同定情報に対応する情報記録媒体の履歴情報が取得される（第２工程）。そして、光源近傍の温度情報が検出され（第３工程）、その温度情報と第２工程で取得された履歴情報とに基づいて、情報記録媒体に情報を記録する際の記録パワーが求められ、その記録パワーが記録条件として設定される（第４工程）。従って、例えば情報記録媒体に情報を記録する際の光源近傍の温度が、前回記録条件を設定したときの光源近傍の温度と異なっていても、試し書き領域を消費することなく、新たに最適な記録条件を設定することができる。また、情報を記録する際に試し書きを行う必要がないため、記録処理に要する時間を短縮することができる。さらに、情報記録媒体毎の履歴情報に基づいて記録パワーを求めているために、精度の高い記録条件を設定することができる。その結果、記録品質の低下を抑制し、良好な記録品質を安定して得ることが可能となる。
【００１７】
この場合において、請求項２に記載の記録条件設定方法の如く、前記第１工程に先だって、前記情報記録媒体に前記同定情報が記録されているか否かを判断する第５工程と；その判断の結果として前記同定情報が記録されていない場合に、新たな同定情報を作成し、その同定情報を前記情報記録媒体の所定位置に記録する第６工程と；を更に含むこととすることができる。
【００１８】
上記請求項１及び２に記載の各記録条件設定方法において、請求項３に記載の記録条件設定方法の如く、前記第２工程では、異なる温度情報に対応する履歴情報を取得し、前記第４工程では、前記第２工程で取得された履歴情報を用いて所定の演算を行い、前記情報記録媒体に情報を記録する際の記録パワーを求めることとすることができる。
【００１９】
この場合において、請求項４に記載の記録条件設定方法の如く、前記演算は、近似演算又は補間演算であることとすることができる。かかる場合には、情報記録媒体に情報を記録する際の光源近傍の温度に対応する履歴情報が存在しない場合であっても、精度良く記録パワーを求めることができる。その結果、記録品質の低下を抑制し、良好な記録品質を安定して得ることが可能となる。
【００２０】
上記請求項１〜４に記載の各記録条件設定方法において、請求項５に記載の記録条件設定方法の如く、前記第４工程に先だって、前記第２工程で取得された履歴情報に基づいて有効温度範囲を設定する第７工程と；前記第３工程で検出された温度情報から得られた温度が前記有効温度範囲内に含まれるか否かを判断する第８工程と；その判断の結果として前記温度が前記有効温度範囲内に含まれない場合に、前記情報記録媒体の所定位置に試し書きを行い、最適な記録パワーを取得するとともに、その最適な記録パワーを前記情報記録媒体に情報を記録する際の記録パワーとする第９工程と；を更に含むこととすることができる。かかる場合には、情報記録媒体に情報を記録する際の記録パワーの精度を維持することができ、結果として、記録品質の低下を抑制し、良好な記録品質を安定して得ることが可能となる。
【００２１】
この場合において、請求項６に記載の記録条件設定方法の如く、前記光源近傍の温度情報を取得し、その温度情報と前記第９工程で取得された最適な記録パワーと前記同定情報とを対応付けて、履歴情報として前記テーブルに追加する第１０工程を更に含むこととすることができる。かかる場合には、履歴情報が増加することとなり、履歴情報に基づいて求められる記録パワーの精度を向上させることができる。
【００２２】
請求項７に記載の発明は、光源から出射された光束を用いて情報記録媒体に情報を記録する際の記録条件を設定する記録条件設定方法であって、前記情報記録媒体に対する試し書きの結果、又は情報の記録時の前記情報記録媒体からの反射光の受光結果に基づいて前記光源の最適な記録パワーと、そのときの前記光源近傍の温度情報とを求める第１工程と；前記第１工程で求められた最適な記録パワーとそれに対応する温度情報とをメモリに記録する第２工程と；前記情報記録媒体に対する情報の記録開始前に、前記光源近傍の温度情報を検出し、その温度情報が前記メモリに記録されている温度情報のいずれかと一致するか否かを判断する第３工程と；前記判断の結果、一致している場合には、前記温度情報に対応する前記メモリに記録されている最適な記録パワーを、前記記録条件として設定する第４工程と；を含む記録条件設定方法である。
【００２３】
これによれば、情報記録媒体に対する試し書きが行われると、試し書きの結果に基づいて最適な記録パワーが求められるとともに、そのときの光源近傍の温度情報が検出される（第１工程）。また、情報の記録時には、情報記録媒体からの反射光の受光結果に基づいて最適な記録パワーが求められるとともに、そのときの光源近傍の温度情報が検出される（第１工程）。そして、第１工程で求められた最適な記録パワーとそれに対応する温度情報とがメモリに記録される（第２工程）。それにより、メモリには、試し書き及び情報の記録が行われる度に、最適な記録パワーとそれに対応する温度情報とが履歴情報として蓄積されることとなる。さらに、情報の記録開始前には、光源近傍の温度情報が検出され、その温度情報がメモリに記録されている温度情報のいずれかと一致するか否かが判断される（第３工程）。その判断の結果、一致している場合には、検出された温度情報に対応する最適な記録パワーがメモリから抽出され、記録条件として設定される（第４工程）。従って、例えば情報の記録開始前に検出された光源近傍の温度が、前回記録条件を設定したときの光源近傍の温度と異なっていても、試し書き領域を消費することなく、新たに最適な記録条件を設定することができる。また、情報の記録開始前に試し書きを行う必要がないため、迅速に記録処理に移行することができる。さらに、豊富な履歴情報をメモリに有しているために、検出された温度情報がメモリに記録されている温度情報のいずれかと一致する確率が高くなる。その結果として、記録品質の低下を抑制し、良好な記録品質を安定して得ることが可能となる。
【００２４】
この場合において、請求項８に記載の記録条件設定方法の如く、前記判断の結果、一致していない場合には、前記メモリに記録されている前記温度情報と最適な記録パワーとの複数組の組み合わせに基づいて、前記第３工程で検出された前記光源近傍の温度情報に対応する最適な記録パワーを推定し、その最適な記録パワーを前記記録条件として設定する第５工程を更に含むこととすることができる。かかる場合には、情報記録媒体に情報を記録する際の光源近傍の温度に対応する履歴情報が存在しない場合であっても、精度良く記録パワーを求めることができる。
【００２５】
この場合において、請求項９に記載の記録条件設定方法の如く、前記推定は、前記温度情報と最適な記録パワーとの複数組の組み合わせを用いた近似計算又は補間計算によって行われることとすることができる。
【００２６】
上記請求項７〜９に記載の各記録条件設定方法において、請求項１０に記載の記録条件設定方法の如く、前記第２工程では、前記最適な記録パワー、温度情報と共に前記情報記録媒体の識別情報を前記メモリに記憶することとすることができる。かかる場合には、例えばこの情報記録媒体がセットされている情報記録装置の電源がオフ・オンされたり、この情報記録媒体が一旦取り出された後に、再度情報記録装置にセットされた場合であっても、ＯＰＣを再度実施する必要がないため、試し書き領域の消費を減らすことができる。
【００２７】
請求項１１に記載の発明は、光源から出射された光束を用いて情報記録媒体に情報を記録する情報記録装置で用いられるプログラムであって、前記情報記録媒体に予め記録されている前記情報記録媒体を同定するための同定情報を取得する第１の手順と；前記第１の手順で取得された同定情報に基づいて、情報記録媒体毎に、予め試し書きによって取得された最適な記録パワーと前記試し書きのときの前記光源近傍の温度情報とが履歴情報として予め記録されているテーブルを検索し、前記同定情報に対応する情報記録媒体の履歴情報を取得する第２の手順と；前記光源近傍の温度情報を検出する第３の手順と；前記第２の手順で取得された履歴情報と前記第３の手順で検出された温度情報とに基づいて、前記情報記録媒体に情報を記録する際の記録パワーを求める第４の手順と；を前記情報記録装置の制御用コンピュータに実行させるプログラムである。
【００２８】
これによれば、記録条件を設定する際に、情報記録媒体に予め記録されている情報記録媒体を同定するための同定情報が取得され（第１の手順）、その同定情報に基づいて、情報記録媒体毎に履歴情報が記録されているテーブルが検索され、同定情報に対応する情報記録媒体の履歴情報が取得される（第２の手順）。そして、光源近傍の温度情報が検出され（第３の手順）、その温度情報と第２の手順で取得された履歴情報とに基づいて、情報記録媒体に情報を記録する際の記録パワーが求められる（第４の手順）。従って、例えば情報記録媒体に情報を記録する際の光源近傍の温度が、前回記録条件を設定したときの光源近傍の温度と異なっていても、試し書き領域を消費することなく、最適な記録パワーを求めることができる。また、情報を記録する際に試し書きを行う必要がないため、記録処理に要する時間を短縮することができる。さらに、情報記録媒体毎の履歴情報に基づいて記録パワーを求めているために、精度の高い記録条件を求めることができる。その結果、記録品質の低下を抑制し、良好な記録品質を安定して得ることが可能となる。
【００２９】
この場合において、請求項１２に記載のプログラムの如く、前記第１の手順に先だって、前記情報記録媒体に前記同定情報が記録されているか否かを判断する第５の手順と；その判断の結果として前記同定情報が記録されていない場合に、新たな同定情報を作成し、その同定情報を前記情報記録媒体の所定位置に記録する第６の手順と；を前記制御用コンピュータに更に実行させることとすることができる。
【００３０】
上記請求項８及び９に記載の各プログラムにおいて、請求項１３に記載のプログラムの如く、前記第２の手順として、異なる温度情報に対応する履歴情報を取得する手順を前記制御用コンピュータに実行させ、前記第４の手順として、前記第２の手順で取得された履歴情報を用いて所定の演算を行い、前記情報記録媒体に情報を記録する際の記録パワーを求める手順を前記制御用コンピュータに実行させることとすることができる。
【００３１】
この場合において、請求項１４に記載のプログラムの如く、前記演算は、近似演算又は補間演算であることとすることができる。
【００３２】
上記請求項１１〜１４に記載の各プログラムにおいて、請求項１５に記載のプログラムの如く、前記第４の手順に先だって、前記第２の手順で取得された履歴情報に基づいて有効温度範囲を設定する第７の手順と；前記第３の手順で検出された温度情報から得られた温度が前記有効温度範囲内に含まれるか否かを判断する第８の手順と；その判断の結果として前記温度が前記有効温度範囲内に含まれない場合に、前記情報記録媒体の所定位置に試し書きを行い、最適な記録パワーを取得するとともに、その最適な記録パワーを前記情報記録媒体に情報を記録する際の記録パワーとする第９の手順と；を前記制御用コンピュータに更に実行させることとすることができる。かかる場合には、情報記録媒体に情報を記録する際の記録パワーの精度を維持することができ、結果として、記録品質の低下を抑制し、良好な記録品質を安定して得ることが可能となる。
【００３３】
この場合において、請求項１６に記載のプログラムの如く、前記光源近傍の温度情報を取得し、その温度情報と前記第９の手順で取得された最適な記録パワーと前記同定情報とを対応付けて、履歴情報として前記テーブルに追加する第１０の手順を前記制御用コンピュータに更に実行させることとすることができる。かかる場合には、履歴情報が増加することとなり、履歴情報に基づいて求められる記録パワーの精度を向上させることができる。
【００３４】
請求項１７に記載の発明は、光源から出射された光束を用いて情報記録媒体に情報を記録する情報記録装置で用いられるプログラムであって、前記情報記録媒体に対する試し書きの結果、又は情報の記録時の前記情報記録媒体からの反射光の受光結果に基づいて前記光源の最適な記録パワーと、そのときの前記光源近傍の温度情報とを求める第１の手順と；前記第１の手順で求められた最適な記録パワーとそれに対応する温度情報とをメモリに記録する第２の手順と；前記情報記録媒体に対する情報の記録開始前に、前記光源近傍の温度情報を検出し、その温度情報が前記メモリに記録されている温度情報のいずれかと一致するか否かを判断する第３の手順と；前記判断の結果、一致している場合には、前記温度情報に対応する前記メモリに記録されている最適な記録パワーを、前記情報記録媒体に情報を記録する際の記録パワーとする第４の手順と；を前記情報記録装置の制御用コンピュータに実行させるプログラムである。
【００３５】
これによれば、情報記録媒体に対する試し書きが行われると、試し書きの結果に基づいて最適な記録パワーが求められるとともに、そのときの光源近傍の温度情報が検出される（第１の手順）。また、情報の記録時には、情報記録媒体からの反射光の受光結果に基づいて最適な記録パワーが求められるとともに、そのときの光源近傍の温度情報が検出される（第１の手順）。そして、第１の手順で求められた最適な記録パワーとそれに対応する温度情報とがメモリに記録される（第２の手順）。それにより、メモリには、試し書き及び情報の記録が行われる度に、最適な記録パワーとそれに対応する温度情報とが履歴情報として蓄積されることとなる。さらに、情報の記録開始前には、光源近傍の温度情報が検出され、その温度情報がメモリに記録されている温度情報のいずれかと一致するか否かが判断される（第３の手順）。その判断の結果、一致している場合には、検出された温度情報に対応する最適な記録パワーがメモリから抽出され、情報記録媒体に情報を記録する際の記録パワーとされる（第４の手順）。従って、例えば情報の記録開始前に検出された光源近傍の温度が、前回記録条件を設定したときの光源近傍の温度と異なっていても、試し書き領域を消費することなく、新たに最適な記録パワーを求めることができる。また、情報の記録開始前に試し書きを行う必要がないため、迅速に記録処理に移行することができる。さらに、豊富な履歴情報をメモリに有しているために、検出された温度情報がメモリに記録されている温度情報のいずれかと一致する確率が高くなる。その結果、記録品質の低下を抑制し、良好な記録品質を安定して得ることが可能となる。
【００３６】
この場合において、請求項１８に記載のプログラムの如く、前記判断の結果、一致していない場合には、前記メモリに記録されている前記温度情報と最適な記録パワーとの複数組の組み合わせに基づいて、前記第３の手順で検出された前記光源近傍の温度情報に対応する最適な記録パワーを推定し、その最適な記録パワーを前記情報記録媒体に情報を記録する際の記録パワーとする第５の手順を前記制御用コンピュータに更に実行させることとすることができる。かかる場合には、情報記録媒体に情報を記録する際の光源近傍の温度に対応する履歴情報が存在しない場合であっても、履歴情報が豊富なため、精度良く記録パワーを求めることができる。
【００３７】
この場合において、請求項１９に記載のプログラムの如く、前記推定は、前記温度情報と最適な記録パワーとの複数組の組み合わせを用いた近似計算又は補間計算によって行われることとすることができる。
【００３８】
上記請求項１７〜１９に記載の各プログラムにおいて、請求項２０に記載のプログラムの如く、前記第２の手順として、前記最適な記録パワー、温度情報と共に前記情報記録媒体の識別情報を前記メモリに記憶する手順を前記制御用コンピュータに実行させることとすることができる。かかる場合には、例えばこの情報記録媒体がセットされている情報記録装置の電源がオフ・オンされたり、この情報記録媒体が一旦取り出された後に、再度情報記録装置にセットされた場合であっても、ＯＰＣを再度実施する必要がないため、試し書き領域の消費を減らすことができる。
【００３９】
請求項２１に記載の発明は、請求項１１〜２０のいずれか一項に記載のプログラムが記録されたコンピュータ読み取り可能な記録媒体である。
【００４０】
これによれば、請求項１１〜２０のいずれか一項に記載のプログラムが記録されているために、コンピュータに実行させることにより、記録品質の低下を抑制し、良好な記録品質を安定して得ることが可能となる。
【００４１】
請求項２２に記載の発明は、光源から出射された光束を用いて情報記録媒体に情報を記録する情報記録装置であって、情報記録媒体毎に、予め試し書きによって取得された最適な記録パワーと前記試し書きのときの前記光源近傍の温度情報とを含む履歴情報を有するテーブルが格納された記憶手段と；前記光源近傍の温度情報を検出する温度検出手段と；前記情報記録媒体に予め記録されている前記情報記録媒体を同定するための同定情報を取得する同定情報取得手段と；前記同定情報取得手段で取得された同定情報に基づいて、前記テーブルを検索し、前記同定情報に対応する情報記録媒体の履歴情報を取得する履歴情報取得手段と；前記温度検出手段で検出された温度情報と前記履歴情報取得手段で取得された履歴情報とに基づいて、前記情報記録媒体に情報を記録する際の記録パワーを求め、その記録パワーを記録条件として設定する記録パワー設定手段と；前記記録パワー設定手段で設定された記録条件に基づいて前記情報記録媒体に情報を記録する記録手段と；を備える情報記録装置である。
【００４２】
これによれば、記録条件を設定する際には、温度検出手段により光源近傍の温度情報が検出され、同定情報取得手段により情報記録媒体に予め記録されている情報記録媒体を同定するための同定情報が取得される。そして、履歴情報取得手段により、同定情報取得手段で取得された同定情報に基づいて、情報記録媒体毎に履歴情報が記録されているテーブルが検索され、同定情報に対応する情報記録媒体の履歴情報が取得される。さらに、記録パワー設定手段により、温度検出手段で検出された温度情報と履歴情報取得手段で取得された履歴情報とに基づいて、情報記録媒体に情報を記録する際の記録パワーが求められ、その記録パワーが記録条件として設定される。そして、記録手段により、記録パワー設定手段で設定された記録条件に基づいて情報記録媒体に情報が記録される。従って、例えば情報記録媒体に情報を記録する際の光源の温度が、前回記録条件を設定したときの光源の温度と異なっていても、試し書き領域を消費することなく、新たに最適な記録条件を設定することができる。また、情報を記録する際に試し書きを行う必要がないため、記録処理に要する時間を短縮することができる。さらに、情報記録媒体毎の履歴情報に基づいて記録パワーを求めているために、精度の高い記録条件を設定することができる。その結果として、記録品質に優れた記録を安定して行うことが可能となる。
【００４３】
この場合において、請求項２３に記載の情報記録装置の如く、前記情報記録媒体に前記同定情報が記録されているか否かを判断する第１の判断手段と；その判断の結果として前記同定情報が記録されていない場合に、新たな同定情報を作成し、その同定情報を前記情報記録媒体の所定位置に記録する同定情報記録手段と；を更に備えることとすることができる。
【００４４】
上記請求項２２及び２３に記載の各情報記録装置において、請求項２４に記載の情報記録装置の如く、前記記録パワー設定手段は、前記履歴情報取得手段で取得された履歴情報を用いて所定の演算を行い、前記情報記録媒体に情報を記録する際の記録パワーを求めることとすることができる。
【００４５】
この場合において、請求項２５に記載の情報記録装置の如く、前記演算は、近似演算又は補間演算であることとすることができる。
【００４６】
上記請求項２３に記載の情報記録装置において、請求項２６に記載の情報記録装置の如く、前記記録パワー設定手段は、前記履歴情報取得手段で取得された履歴情報に基づいて有効温度範囲を設定する温度範囲設定手段と；前記温度検出手段で検出された温度情報から得られた温度が前記有効温度範囲内に含まれるか否かを判断する第２の判断手段と；その判断の結果として前記温度が前記有効温度範囲内に含まれる場合に、前記温度検出手段で検出された温度情報に対応する記録パワーを前記履歴情報に基づいて算出し、その算出結果を前記情報記録媒体に情報を記録する際の記録パワーとする第１の設定手段と；前記判断の結果として前記温度が前記有効温度範囲内に含まれない場合に、前記情報記録媒体の所定位置に試し書きを行い、最適な記録パワーを取得するとともに、その最適な記録パワーを前記情報記録媒体に情報を記録する際の記録パワーとする第２の設定手段と；を備えることを特徴とする。
【００４７】
この場合において、請求項２７に記載の情報記録装置の如く、前記第２の設定手段は、前記温度検出手段を介して前記試し書きを行った際の前記光源近傍の温度情報を取得し、その温度情報と前記試し書きによって取得された最適な記録パワーと前記同定情報とを対応付けし、履歴情報として前記テーブルに追加することとすることができる。
【００４８】
請求項２８に記載の発明は、光源から出射された光束を用いて情報記録媒体に情報を記録する情報記録装置であって、記憶手段と；前記光源近傍の温度情報を検出する温度検出手段と；前記情報記録媒体に対する試し書きの結果、又は情報の記録時の前記情報記録媒体からの反射光の受光結果に基づいて前記光源の最適な記録パワーと、そのときの前記光源近傍の温度情報とを求める履歴取得手段と；前記履歴取得手段で求められた最適な記録パワーとそれに対応する温度情報とを前記記憶手段に記録する履歴記録手段と；前記情報記録媒体に対する情報の記録開始前に、前記温度検出手段を介して前記光源近傍の温度情報を検出し、その温度情報が前記記憶手段に記録されている温度情報のいずれかと一致するか否かを判断する判断手段と；前記判断の結果、一致している場合には、前記温度情報に対応する前記記憶手段に記録されている最適な記録パワーを、前記情報記録媒体に情報を記録する際の記録パワーとする第１の記録パワー取得手段と；を備える情報記録装置である。
【００４９】
これによれば、情報記録媒体に対する試し書きが行われると、履歴取得手段により、試し書きの結果に基づいて最適な記録パワーが求められるとともに、そのときの光源近傍の温度情報が検出される。また、情報の記録時には、履歴取得手段により、情報記録媒体からの反射光の受光結果に基づいて最適な記録パワーが求められるとともに、そのときの光源近傍の温度情報が検出される。そして、履歴記録手段により、履歴取得手段で求められた最適な記録パワーとそれに対応する温度情報とが記憶手段に記録される。それにより、記憶手段には最適な記録パワーとそれに対応する温度情報とが履歴情報として蓄積されることとなる。情報記録媒体に対する情報の記録開始前には、温度検出手段により光源近傍の温度情報が検出され、判断手段により、その温度情報が記憶手段に記録されている温度情報のいずれかと一致するか否かが判断される。その判断の結果、一致している場合には、第１の記録パワー取得手段により、検出された温度情報に対応する最適な記録パワーが記憶手段から抽出され、情報記録媒体に情報を記録する際の記録パワーとされる。従って、例えば情報の記録開始前に検出された光源近傍の温度が、前回記録条件を設定したときの光源近傍の温度と異なっていても、試し書き領域を消費することなく、新たに最適な記録条件を設定することができる。また、情報の記録開始前に試し書きを行う必要がないため、迅速に記録処理に移行することができる。さらに、豊富な履歴情報をメモリに有しているために、検出された温度情報がメモリに記録されている温度情報のいずれかと一致する確率が高くなる。その結果として、記録品質に優れた記録を安定して行うことが可能となる。
【００５０】
この場合において、請求項２９に記載の情報記録装置の如く、前記判断の結果、一致していない場合には、前記記憶手段に記録されている前記温度情報と最適な記録パワーとの複数組の組み合わせに基づいて、前記温度検出手段で検出された前記光源近傍の温度情報に対応する最適な記録パワーを推定し、その最適な記録パワーを前記情報記録媒体に情報を記録する際の記録パワーとする第２の記録パワー取得手段を更に備えることとすることができる。かかる場合には、情報記録媒体に情報を記録する際の光源近傍の温度に対応する履歴情報が存在しない場合であっても、履歴情報が豊富なため、精度良く記録パワーを求めることができる。
【００５１】
この場合において、請求項３０に記載の情報記録装置の如く、前記推定は、前記温度情報と最適な記録パワーとの複数組の組み合わせを用いた近似計算又は補間計算によって行われることとすることができる。
【００５２】
上記請求項２８〜３０に記載の各情報記録装置において、請求項３１に記載の情報記録装置の如く、前記履歴記録手段は、前記最適な記録パワー、温度情報と共に前記情報記録媒体の識別情報を前記記憶手段に記憶することとすることができる。
【００５３】
上記請求項２２〜３１に記載の各情報記録装置において、請求項３２に記載の情報記録装置の如く、前記記憶手段は不揮発性のメモリであることとすることができる。
【００５４】
【発明の実施の形態】
《第１の実施形態》
以下、本発明の第１の実施形態を図１〜図６に基づいて説明する。
【００５５】
図１には、本発明の第１の実施形態に係る情報記録装置としての光ディスク装置の概略構成が示されている。
【００５６】
この図１に示される光ディスク装置２０は、情報記録媒体としての光ディスク１５を回転駆動するためのスピンドルモータ２２、光ピックアップ装置２３、レーザコントロール回路２４、エンコーダ２５、モータドライバ２７、再生信号処理回路２８、サーボコントローラ３３、バッファＲＡＭ３４、バッファマネージャ３７、インターフェース３８、ＲＯＭ３９、ＣＰＵ４０、ＲＡＭ４１、記憶手段としてのフラッシュメモリ４３及び温度検出手段としての温度センサ４２などを備えている。なお、図１における矢印は、代表的な信号や情報の流れを示すものであり、各ブロックの接続関係の全てを表すものではない。
【００５７】
前記光ピックアップ装置２３は、光ディスク１５のスパイラル状又は同心円状のトラックが形成された記録面にレーザ光を照射するとともに、記録面からの反射光を受光するための装置である。この光ピックアップ装置２３は、一例として図２に示されるように、光源ユニット５１、コリメートレンズ５２、ビームスプリッタ５４、対物レンズ６０、検出レンズ５８、受光器５９、及び駆動系（フォーカシングアクチュエータ、トラッキングアクチュエータ及びシークモータ（いずれも図示省略））などを備えている。
【００５８】
前記光源ユニット５１は、所定の波長の光束を発光する光源としての半導体レーザ（図示省略）を含んで構成されている。光源ユニット５１から出射される光束の光量は不図示のモニタで検出され、出射光量信号としてレーザコントロール回路２４にフィードバックされている。なお、本実施形態では、光源ユニット５１から出射される光束の最大強度出射方向を＋Ｘ方向とする。この光源ユニット５１の＋Ｘ側には、前記コリメートレンズ５２が配置され、光源ユニット５１から出射された光束を略平行光とする。
【００５９】
コリメートレンズ５２の＋Ｘ側には、光ディスク１５からの戻り光束を−Ｚ方向に分岐するための前記ビームスプリッタ５４が配置されている。このビームスプリッタ５４の＋Ｘ側には、ビームスプリッタ５４を透過した光束を集光し、光ディスク１５の記録面に光スポットを形成する前記対物レンズ６０が配置されている。
【００６０】
また、ビームスプリッタ５４の−Ｚ側には、ビームスプリッタ５４で分岐された戻り光束を集光する前記検出レンズ５８が配置されている。この検出レンズ５８の−Ｚ側には、前記受光器５９が配置されている。受光器５９としては、通常の光ディスク装置と同様に、４分割受光素子が用いられている。この受光器５９は、光ディスク１５の記録面からの反射光を受光し、通常の光ピックアップ装置と同様に、ウォブル信号情報、再生データ情報、フォーカスエラー情報及びトラックエラー情報などを含む信号を出力する。
【００６１】
上記のように構成される光ピックアップ装置２３の作用を簡単に説明すると、光源ユニット５１から出射された光束は、コリメートレンズ５２で略平行光とされた後、ビームスプリッタ５４に入射する。ビームスプリッタ５４を透過した光束は、対物レンズ６０を介して光ディスク１５の記録面に微小スポットとして集光される。光ディスク１５の記録面にて反射した反射光は、戻り光束として対物レンズ６０で略平行光とされ、ビームスプリッタ５４に入射する。ビームスプリッタ５４で−Ｚ方向に分岐された戻り光束は、検出レンズ５８を介して受光器５９で受光される。受光器５９からは、受光量に応じた信号が再生信号処理回路２８に出力される。
【００６２】
図１に戻り、前記再生信号処理回路２８は、光ピックアップ装置２３からの出力信号に基づいてウォブル信号、ＲＦ信号及びサーボ信号（フォーカスエラー信号、トラックエラー信号）などを検出する。そして、再生信号処理回路２８はウォブル信号からアドレス情報及び同期信号等を抽出する。ここで抽出されたアドレス情報はＣＰＵ４０に出力され、同期信号はエンコーダ２５に出力される。さらに、再生信号処理回路２８はＲＦ信号に対して誤り訂正処理等を行なった後、バッファマネージャ３７を介してバッファＲＡＭ３４に格納する。また、再生信号処理回路２８はＲＦ信号に基づいてアシンメトリ情報及び反射率情報を検出し、それらの検出結果をＣＰＵ４０に出力する。なお、サーボ信号は再生信号処理回路２８からサーボコントローラ３３に出力される。
【００６３】
前記サーボコントローラ３３は、トラックエラー信号に基づいて光ピックアップ装置２３のトラッキングアクチュエータを制御する制御信号を生成し、モータドライバ２７に出力する。また、サーボコントローラ３３は、フォーカスエラー信号に基づいて、光ピックアップ装置２３のフォーカシングアクチュエータを制御する制御信号を生成し、モータドライバ２７に出力する。
【００６４】
前記モータドライバ２７は、サーボコントローラ３３からの制御信号に基づいて、光ピックアップ装置２３のトラッキングアクチュエータ及びフォーカシングアクチュエータを制御する。すなわち、トラッキング制御及びフォーカス制御が行われる。また、モータドライバ２７は、ＣＰＵ４０の指示に基づいてスピンドルモータ２２及び光ピックアップ装置２３のシークモータを制御する。
【００６５】
前記バッファマネージャ３７は、バッファＲＡＭ３４へのデータの入出力を管理し、蓄積されたデータ量が所定の値になるとＣＰＵ４０に通知する。
【００６６】
前記エンコーダ２５は、ＣＰＵ４０の指示に基づいて、バッファＲＡＭ３４に蓄積されているデータをバッファマネージャ３７を介して取り出し、エラー訂正コードの付加等を行なうとともに、光ディスク１５への書き込み信号を生成する。そして、エンコーダ２５は、再生信号処理回路２８からの同期信号に同期して書き込み信号をレーザコントロール回路２４に出力する。
【００６７】
前記レーザコントロール回路２４は、一例として図３に示されるように、ＬＤドライバ２４ａ、パルス設定回路２４ｂ及びパワー設定回路２４ｃなどを含んで構成されている。パルス設定回路２４ｂは、ＣＰＵ４０からの指示に基づいて、エンコーダ２５からの書き込み信号に対して立ち上がりエッジを調整してパルス幅を変更する。また、パワー設定回路２４ｃは、ＣＰＵ４０からの指示に基づいて記録パワーを設定する。ＬＤドライバ２４ａは、パルス設定回路２４ｂにてパルス調整された書き込み信号及びパワー設定回路２４ｃにて設定された記録パワーに基づいて、光ピックアップ装置２３の半導体レーザの出力を制御する。また、ＬＤドライバ２４ａは、半導体レーザが発光中に光ピックアップ装置２３の不図示のモニタからの前記出射光量信号に基づいて、半導体レーザの出力をフィードバック制御する。
【００６８】
図１に戻り、前記インターフェース３８は、ホスト（例えばパソコン）との双方向の通信インターフェースであり、ＡＴＡＰＩ（ＡＴ　Ａｔｔａｃｈｍｅｎｔ　Ｐａｃｋｅｔ　Ｉｎｔｅｒｆａｃｅ）及びＳＣＳＩ（Ｓｍａｌｌ　Ｃｏｍｐｕｔｅｒ　Ｓｙｓｔｅｍ　Ｉｎｔｅｒｆａｃｅ）等の標準インターフェースに準拠している。
【００６９】
前記温度センサ４２は、光源ユニット５１の近傍に配置され、光源ユニット近傍の温度情報を検出し、その検出結果をＣＰＵ４０に出力する。
【００７０】
前記ＲＯＭ３９には、ＣＰＵ４０にて解読可能なコードで記述された後述する光源ユニット近傍での温度に応じた最適な記録条件を設定する際に用いられるプログラム（以下、便宜上「第１の記録条件設定プログラム」という）を含むプログラムが格納されている。なお、光ディスク装置２０の電源がオン状態になると、ＲＯＭ３９に格納されているプログラムは不図示のメインメモリにロードされる。
【００７１】
前記フラッシュメモリ４３には、温度センサ４２での検出結果と温度との換算表が格納されている。ＣＰＵ４０はこの換算表を参照し、温度センサ４２での検出結果から光源ユニット近傍での温度（以下、便宜上「光源温度」と略述する）を求める。また、フラッシュメモリ４３には、一例として図４に示されるように、光ディスク毎に光源温度と最適な記録パワーとの関係を示す情報が履歴情報としてテーブル形式（以下、便宜上「温度−パワーテーブル」ともいう）で保存され、データベース化されている。本実施形態では一例として、各レコードは、ディスクＩＤ、光源温度、及び最適記録パワーの３つのフィールドで構成されている。ここで、ディスクＩＤは、光ディスクを特定するために光ディスク毎に付けられる同定情報であり、本実施形態では一例として８桁の数字が用いられる。なお、フラッシュメモリ４３は不揮発性のメモリであり、格納されている内容は電源供給が停止されても消えることはない。
【００７２】
次に、前述のように構成される光ディスク装置２０において、最適な記録パワーを設定する処理（以下、便宜上「記録パワー設定処理」という）について図５を用いて説明する。図５のフローチャートは、ＣＰＵ４０によって実行される一連の処理アルゴリズムに対応している。例えばホストから記録要求コマンドを受信すると、図５のフローチャートに対応するプログラムの先頭アドレスがＣＰＵ４０のプログラムカウンタにセットされ、記録パワー設定処理がスタートする。
【００７３】
最初のステップ４０１では、光ディスク１５の所定位置にディスクＩＤが記録されているか否かを判断する。ディスクＩＤが記録されていれば、ここでの判断は肯定され、ステップ４０３に移行する。
【００７４】
このステップ４０３では、光ディスク１５の所定位置に記録されているディスクＩＤを読み出す。ここでは、一例として「０００００００１」というディスクＩＤが取得されたものとする。
【００７５】
次のステップ４０５では、取得したディスクＩＤをキーとして、フラッシュメモリ４３に格納されている温度−パワーテーブルを検索する。
【００７６】
次のステップ４０７では、同一ディスクＩＤのレコードがあるか否かを判断する。ここでは図４に示されるように、温度−パワーテーブルには、同一ディスクＩＤ（ここでは「０００００００１」）のレコードが存在するので、ステップ４０９での判断は肯定されステップ４０９に移行する。
【００７７】
このステップ４０９では、温度−パワーテーブルから同一ディスクＩＤのレコードを全て（ここでは４レコード）抽出する。
【００７８】
次のステップ４１１では、温度センサ４２の出力信号に基づいて光源温度を検出する。
【００７９】
次のステップ４１３では、有効温度範囲を設定する。本実施形態では一例として、温度−パワーテーブルから抽出されたレコードにおける「光源温度の最低値−５℃」（ここでは１８−５＝１３℃）と「光源温度の最高値＋５℃」（ここでは４０＋５＝４５℃）の範囲を有効温度範囲とする。
【００８０】
次のステップ４１５では、検出された光源温度が有効温度範囲内であるか否かを判断する。ここで、検出された光源温度が有効温度範囲内にあれば、ステップ４１５での判断は肯定され、ステップ４１７に移行する。
【００８１】
このステップ４１７では、温度−パワーテーブルから抽出されたレコードに基づいて、光源温度と最適な記録パワーとの関係を取得する。ここでは、一例として光源温度と最適な記録パワーとの相関関係を示す近似式を最小自乗法で求める。本実施形態では、図４に示されるように、光源温度１８℃での最適な記録パワーは１５ｍＷ、光源温度２５℃での最適な記録パワーは１７ｍＷ、光源温度３２℃での最適な記録パワーは２０ｍＷ、光源温度４０℃での最適な記録パワーは２３ｍＷであるため、図６に示されるように、光源温度Ｔと最適な記録パワーＰｗとの相関関係は、次の（１）式で示される一次式で近似することができる。
【００８２】
Ｐｗ＝０．３７０２×Ｔ＋８．１０６８　……（１）
【００８３】
次のステップ４１９では、上記近似式に検出された光源温度を当てはめて、その光源温度に対応する最適な記録パワーを求める。例えば検出された光源温度が１３℃の場合には、上記（１）式から最適な記録パワーは１２．９８ｍＷとなる。
【００８４】
次のステップ４２１では、上記の如くして求めた最適な記録パワーをパワー設定回路２４ｃに出力する。これにより、記録パワーが設定される。そして、記録パワー設定処理を終了する。
【００８５】
一方、ステップ４０１において、光ディスク１５にディスクＩＤが記録されていなければ、ここでの判断は否定され、ステップ４３１に移行する。
【００８６】
このステップ４３１では、例えば乱数などを利用して新たなディスクＩＤを生成する。
【００８７】
次のステップ４３３では、生成したディスクＩＤを光ディスク１５の所定位置に記録する。
【００８８】
次のステップ４３５では、生成したディスクＩＤをディスクＩＤフィールドにセットした新たなレコードを温度−パワーテーブルに追加する。
【００８９】
次のステップ４３７では、ＯＰＣを実行する。すなわち、所定の線速度で記録パワーを段階的に変化させつつ、所定のデータを光ディスク１５のＰＣＡに試し書きした後、それらのデータを順次再生し、ＲＦ信号から検出されたアシンメトリの値が予め実験等で求めた目標値とほぼ一致する場合を最も高い記録品質であると判断し、そのときの記録パワーを最適な記録パワーとする。また、最も高い記録品質での反射率を検出し、目標反射率としてディスクＩＤとともに、フラッシュメモリ４３に保存する。
【００９０】
次のステップ４３９では、温度センサ４２の出力信号に基づいて光源温度を検出する。
【００９１】
次のステップ４４１では、検出された光源温度と上記ＯＰＣで得られた最適な記録パワーとを、ディスクＩＤに対応して温度−パワーテーブルに記録する。すなわち、履歴情報が追加される。この際、同一ディスクＩＤ内で、光源温度順にソートしておくと履歴情報の利用効率が向上する。そして、ステップ４１９に移行する。
【００９２】
なお、ステップ４０７において、同一ディスクＩＤのレコードが存在しなければ、ステップ４０７での判断は否定されステップ４３５に移行する。
【００９３】
また、ステップ４１５において、検出された光源温度が前記有効温度範囲（ここでは１３℃〜４５℃）内になければ、最適な記録パワーの算出は不可能であるとして、ステップ４１５での判断は否定され、ステップ４３７に移行する。
【００９４】
上記の如くして最適な記録パワーが決定されると、ホストからのデータを指定された記録領域に記録するための記録処理に移行する。
【００９５】
ここで、光ディスク装置２０における記録処理について簡単に説明する。
【００９６】
ＣＰＵ４０は、記録速度に基づいてスピンドルモータ２２の回転を制御するための制御信号をモータドライバ２７に出力するとともに、ホストから記録要求のコマンドを受信した旨を再生信号処理回路２８に通知する。また、ＣＰＵ４０はホストから受信したデータをバッファマネージャ３７を介してバッファＲＡＭ３４に蓄積する。
【００９７】
光ディスク１５の回転が所定の線速度に達すると、再生信号処理回路２８は受光器５９からの出力信号に基づいてトラックエラー信号及びフォーカスエラー信号を検出し、サーボコントローラ３３に出力する。
【００９８】
サーボコントローラ３３は、トラックエラー信号に基づいて、ドライバ２７を介して光ピックアップ装置２３のトラッキングアクチュエータを駆動し、トラックずれを補正する。また、サーボコントローラ３３は、フォーカスエラー信号に基づいて、ドライバ２７を介して光ピックアップ装置２３のフォーカシングアクチュエータを駆動し、フォーカスずれを補正する。すなわち、トラッキング制御及びフォーカス制御が行われる。
【００９９】
再生信号処理回路２８は光ピックアップ装置２３からの出力信号に基づいてアドレス情報を取得し、ＣＰＵ４０に通知する。そして、ＣＰＵ４０はアドレス情報に基づいて、指定された書き込み開始地点に光ピックアップ装置２３が位置するように光ピックアップ装置２３のシークモータを制御する信号をモータドライバ２７に出力する。
【０１００】
ＣＰＵ４０はバッファマネージャ３７からバッファＲＡＭ３４に蓄積されたデータ量が所定の値を超えたとの通知を受けると、エンコーダ２５に書き込み信号の作成を指示する。また、ＣＰＵ４０はアドレス情報に基づいて光ピックアップ装置２３の位置が書き込み開始地点であると判断すると、エンコーダ２５に通知する。そして、エンコーダ２５はレーザコントロール回路２４及び光ピックアップ装置２３を介して、書き込み信号を光ディスク１５に記録する。
【０１０１】
次に、ホストからの再生要求コマンドを受信した際の、光ディスク装置２０の処理動作について簡単に説明する。
【０１０２】
ＣＰＵ４０はホストから再生要求コマンドを受信すると、再生速度に基づいてスピンドルモータ２２の回転を制御するための制御信号をモータドライバ２７に出力するとともに、ホストから再生要求コマンドを受信した旨を再生信号処理回路２８に通知する。そして、光ディスク１５の回転が所定の線速度に達すると、トラッキング制御及びフォーカス制御が行われる。また、再生信号処理回路２８はアドレス情報を検出し、ＣＰＵ４０に通知する。
【０１０３】
ＣＰＵ４０はアドレス情報に基づいて、指定された読み込み開始地点に光ピックアップ装置２３が位置するようにシークモータを制御する信号をモータドライバ２７に出力する。ＣＰＵ４０はアドレス情報に基づいて、光ピックアップ装置２３の位置が読み込み開始地点であると判断すると、再生信号処理回路２８に通知する。
【０１０４】
そして、再生信号処理回路２８は、受光器５９の出力信号に基づいてＲＦ信号を検出し、誤り訂正処理等を行った後、バッファＲＡＭ３４に蓄積する。バッファマネージャ３７は、バッファＲＡＭ３４に蓄積された再生データがセクタデータとして揃ったときに、インターフェース３８を介してホストに転送する。
【０１０５】
なお、再生処理が終了するまで、トラッキング制御及びフォーカス制御は随時行われる。
【０１０６】
以上の説明から明らかなように、本第１の実施形態に係る光ディスク装置では、ＣＰＵ４０及び該ＣＰＵ４０によって実行されるプログラムとによって、同定情報取得手段、履歴情報取得手段、記録パワー設定手段、第１の判断手段、同定情報記録手段、温度範囲設定手段、第２の判断手段、第１の設定手段、及び第２の設定手段が実現されている。すなわち、図５のステップ４０３の処理によって同定情報取得手段が、図５のステップ４０５〜４０９の処理によって履歴情報取得手段が、図５のステップ４０１の処理によって第１の判断手段が、図５のステップ４３１及びステップ４３３の処理によって同定情報記録手段が、図５のステップ４１３の処理によって温度範囲設定手段が、図５のステップ４１５の処理によって第２の判断手段が、図５のステップ４１７〜４２１の処理によって第１の設定手段が、図５のステップ４３７〜４４１及びステップ４２１の処理によって第２の設定手段が、それぞれ実現されている。しかしながら、本発明がこれに限定されるものではないことは勿論である。すなわち、上記実施形態は一例に過ぎず、上記のＣＰＵ４０によるプログラムに従う処理によって実現した構成各部の少なくとも一部をハードウェアによって構成することとしても良いし、あるいは全ての構成部分をハードウェアによって構成することとしても良い。
【０１０７】
また、本実施形態では、ＲＯＭ３９にインストールされているプログラムのうち、図５のフローチャートで示される処理に対応するプログラムによって前記第１の記録条件設定プログラムが構成されている。
【０１０８】
そして、図５のステップ４０３の処理によって請求項１に記載の発明に係る記録条件設定方法の第１工程が実施され、図５のステップ４０５〜４０９の処理によって第２工程が実施され、図５のステップ４１１の処理によって第３工程が実施され、図５のステップ４１７〜４２１の処理によって第４工程が実施されている。また、図５のステップ４０１の処理によって請求項２に記載の発明に係る記録条件設定方法の第５工程が実施され、図５のステップ４３１及び４３３の処理によって第６工程が実施されている。さらに、図５のステップ４１３の処理によって請求項５に記載の発明に係る記録条件設定方法の第７工程が実施され、図５のステップ４１５の処理によって第８工程が実施され、図５のステップ４３７、ステップ４３９及びステップ４２１の処理によって第９工程が実施されている。また、図５のステップ４４１の処理によって請求項６に記載の発明に係る記録条件設定方法の第１０工程が実施されている。
【０１０９】
以上説明したように、本第１の実施形態に係る光ディスク装置及び記録条件設定方法によると、記録条件を設定する際に、光ディスクに予め記録されている光ディスクを同定するためのディスクＩＤが取得され、そのディスクＩＤをキーとして、光ディスク毎に履歴情報が記録されている温度−パワーテーブルが検索され、ディスクＩＤに対応する光ディスクの履歴情報が取得される。そして、光源温度が検出され、その光源温度と取得された履歴情報とに基づいて、光ディスクに情報を記録する際の記録パワーが求められ、その記録パワーが記録条件として設定される。そこで、光ディスクに情報を記録する際の光源温度が、前回記録条件を設定したときの光源温度と異なっていても、試し書き領域を消費することなく、新たに最適な記録条件を設定することができる。また、情報を記録する際に試し書きを行う必要がないため、記録処理に要する時間を短縮することができる。さらに、光ディスク毎の履歴情報に基づいて記録パワーを求めているために、精度の高い記録条件を設定することができる。その結果、記録品質の低下を抑制し、良好な記録品質を安定して得ることが可能となる。
【０１１０】
また、本第１の実施形態によると、温度−パワーテーブルから抽出されたレコードに基づいて、光源温度と最適な記録パワーとの相関関係を示す近似式を最小自乗法によって求め、その近似式に検出された光源温度を当てはめて、その光源温度に対応する最適な記録パワーを求めている。これにより、光ディスクに情報を記録する際の光源温度に対応する履歴情報が存在しない場合であっても、精度良く記録パワーを求めることができる。
【０１１１】
また、本第１の実施形態によると、最適な記録パワーを取得するのに先だって、抽出された履歴情報に基づいて有効温度範囲を設定している。そして、検出された光源温度が有効温度範囲内に含まれるか否かを判断し、その判断の結果として光源温度が有効温度範囲内に含まれない場合に、ＯＰＣを実行し最適な記録パワーを取得するとともに、その最適な記録パワーを光ディスクに情報を記録する際の記録パワーとしている。これにより、光ディスクに情報を記録する際の記録パワーの精度を維持することができ、結果として、記録品質の低下を抑制し、良好な記録品質を安定して得ることが可能となる。
【０１１２】
また、本第１の実施形態によると、ＯＰＣを実行した場合には、光源温度を検出し、その温度情報とＯＰＣで求められた最適な記録パワーとディスクＩＤとを対応付けて、履歴情報として温度−パワーテーブルに追加している。これにより、履歴情報が増加することとなり、履歴情報に基づいて求められる記録パワーの精度を向上させることができる。
【０１１３】
また、本第１の実施形態に係る光ディスク装置によると、記録条件を設定する際に、光源温度に応じて最適な記録パワーを求めているために、結果として記録品質に優れた記録を安定して行うことが可能となる。
【０１１４】
なお、上記第１の実施形態では、温度−パワーテーブルの各レコードが、ディスクＩＤ、光源温度、及び最適記録パワーの３つのフィールドで構成される場合について説明したが、これに限らず、例えばデータを取得した日付、記録速度などをフィールドに付加しても良い。
【０１１５】
また、上記第１の実施形態では、温度−パワーテーブルが１つの場合について説明したが、これに限らず、例えば光ディスクのベンダ毎に、ディスクＩＤ、光源温度、及び最適記録パワーの３つのフィールドを有する温度−パワーテーブルが作成されても良い。これにより、履歴情報の検索を効率的に行うことができる。
【０１１６】
また、上記第１の実施形態では、ディスクＩＤとして８桁の数字を用いているが、これに限られるものではなく、８桁以外であっても良い。また、数字だけでなく、例えば数字、アルファベット及び記号などが組み合わされても良い。
【０１１７】
また、上記第１の実施形態では、光ディスクを特定する同定情報としてディスクＩＤを用いる場合について説明したが、これに限らず、例えばベンダー情報を用いても良い。
【０１１８】
また、上記第１の実施形態では、光源温度と最適な記録パワーとの相関関係を一次式で近似する場合について説明したが、これに限らず多項式で近似しても良い。さらに、近似演算ではなく、例えば補間演算を行っても良い。要するに、検出された光源温度に対応する最適な記録パワーが精度良く求まれば良い。
【０１１９】
また、上記第１の実施形態では、記録条件を設定する度に光源温度と最適な記録パワーとの関係を求める場合について説明したが、本発明がこれに限定されるものではない。例えば新たな履歴情報を取得したときに光源温度と最適な記録パワーとの関係を求めておき、記録条件を設定するときには、予め得られている光源温度と最適な記録パワーとの関係を利用しても良い。これにより、処理時間を短縮することができる。
【０１２０】
また、上記第１の実施形態では、第１の記録条件決定プログラムは、ＲＯＭ３９に記録されているが、他の記録媒体（ＣＤ−ＲＯＭ、光磁気ディスク、フラッシュメモリ、フレキシブルディスク等）に記録されていても良い。この場合には、各記録媒体に対応するドライブ装置を付加し、各ドライブ装置から第１の記録条件設定プログラムをインストールすることとなる。要するに、第１の記録条件設定プログラムがＣＰＵ４０のメインメモリにロードされれば良い。
【０１２１】
なお、例えば使用される光ディスクの種類が限定されている場合には、ディスクＩＤの取得を省略しても良い。この場合について第２の実施形態として以下に説明する。
【０１２２】
《第２の実施形態》
以下、本発明の第２の実施形態を図７及び図８に基づいて説明する。
【０１２３】
この第２の実施形態は、最適な記録条件を設定する方法が上記第１の実施形態と異なる点に特徴を有する。なお、その他、光ピックアップ装置、光ディスク装置の構成などは、前述した第１の実施形態と同様である。従って、以下においては、第１の実施形態との相違点を中心に説明するとともに、前述した第１の実施形態と同一若しくは同等の構成部分については同一の符号を用いるとともに、その説明を簡略化し若しくは省略するものとする。また、前提条件は上記第１の実施形態と同様であるものとする。
【０１２４】
そこで、ＲＯＭ３９には、上記第１の記録条件設定プログラムの代わりに、第２の記録条件設定プログラムが格納されている
【０１２５】
この場合に記録パワーを設定する処理について図７を用いて説明する。図７のフローチャートは、ＣＰＵ４０によって実行される一連の処理アルゴリズムに対応している。
【０１２６】
最初のステップ５０１では、温度センサ４２の出力信号に基づいて光源温度を検出する。
【０１２７】
次のステップ５０３では、検出された光源温度をキーとして、フラッシュメモリ４３に格納されている温度−パワーテーブルを検索し、同一光源温度のレコードが存在するか否かを判断する。ここで、レコードが存在すれば、ステップ５０３での判断は肯定されステップ５０５に移行する。
【０１２８】
このステップ５０５では、検出された光源温度と同一光源温度のレコードを抽出する。
【０１２９】
次のステップ５０７では、抽出したレコードから最適な記録パワーを求める。
【０１３０】
次のステップ５０９では、求めた最適な記録パワーをパワー設定回路２４ｃに出力する。これにより、記録パワーが設定される。そして、記録パワーを設定する処理を終了する。
【０１３１】
一方、ステップ５０３において、検出された光源温度と同一光源温度のレコードが存在しなければ、ステップ５０３での判断は否定されステップ５２１に移行する。
【０１３２】
このステップ５２１では、温度−パワーテーブルに記録されている履歴情報に基づいて、光源温度と最適な記録パワーとの相関関係を示す近似式を例えば最小自乗法によって求める。なお、近似演算ではなく、例えば補間演算を行っても良い。要するに、検出された光源温度に対応する最適な記録パワーが精度良く算出できれば良い。
【０１３３】
次のステップ５２３では、上記近似式に検出された光源温度を当てはめて、その光源温度に対応する最適な記録パワーを求める。そして、ステップ５０９に移行する。
【０１３４】
上記の如くして最適な記録パワーが決定されると、ホストからのデータを指定された記録領域に記録するための記録処理に移行する。そこで、この記録処理に伴って行われる記録パワーの修正処理について図８を用いて説明する。図８のフローチャートは、ＣＰＵ４０によって実行される一連の処理アルゴリズムに対応している。記録パワーを設定する処理が終了し、記録処理に移行すると、図８のフローチャートに対応するプログラムの先頭アドレスがＣＰＵ４０のプログラムカウンタにセットされ、記録パワーの修正処理がスタートする。なお、予めＯＰＣを実施した際に検出された目標反射率がフラッシュメモリ４３に格納されているものとする。
【０１３５】
最初のステップ６０１では、データの記録が終了したか否かを判断する。ここでは、まだデータの記録は行われていないので、ステップ６０１での判断は否定されステップ６０３に移行する。
【０１３６】
このステップ６０３では、再生信号処理回路２８を介して、データが記録された記録領域の反射率を検出する。
【０１３７】
次のステップ６０５では、検出された反射率とフラッシュメモリ４３に格納されている目標反射率とを比較し、記録パワーの修正が必要であるか否かを判断する。ここでは、検出された反射率と目標反射率との差が所定の値以上であれば、記録パワーの修正が必要であるとして、ステップ６０５での判断は肯定され、ステップ６０７に移行する。
【０１３８】
このステップ６０７では、検出された反射率と目標反射率とがほぼ一致するように記録パワーを修正し、パワー設定回路２４ｃに出力する。なお、検出された反射率と目標反射率との差と、記録パワーの修正量との関係は、予め実験などで求められ、フラッシュメモリ４３に格納されているものとする。
【０１３９】
次のステップ６０９では、温度センサ４２の出力信号に基づいて光源温度を検出する。
【０１４０】
次のステップ６１１では、ディスクＩＤとともに、検出された光源温度と修正された記録パワーとを温度−パワーテーブルに追加する。そして、ステップ６０１に戻る。これにより、履歴情報が増加することとなる。なお、この場合には、検出された反射率を履歴情報に加えても良い。
【０１４１】
一方、ステップ６０５において、検出された反射率と目標反射率との差が所定の値以上でなければ、記録パワーの修正は不要であるとして、ステップ６０５での判断は否定され、ステップ６０１に戻る。
【０１４２】
また、ステップ６０１において、記録終了であれば、ステップ６０１での判断は肯定され、記録パワーの修正処理を終了する。
【０１４３】
以上の説明から明らかなように、本第２の実施形態に係る光ディスク装置では、ＣＰＵ４０及び該ＣＰＵ４０によって実行されるプログラムとによって、履歴取得手段、履歴記録手段、判断手段、第１の記録パワー取得手段、及び第２の記録パワー取得手段が構成されている。すなわち、図８のステップ６０３、ステップ６０７及びステップ６０９の処理によって履歴取得手段が、図８のステップ６１１の処理によって履歴記録手段が、図７のステップ５０１及びステップ５０３の処理によって判断手段が、図７のステップ５０５、ステップ５０７及びステップ５０９の処理によって第１の記録パワー取得手段が、図７のステップ５２１、ステップ５２３及びステップ５０９の処理によって第２の記録パワー取得手段が、それぞれ構成されている。そして、上記第１の実施形態と同様にして、記録処理及び再生処理が行われる。
【０１４４】
また、本第２の実施形態では、ＲＯＭ３９にインストールされているプログラムのうち、図７及び図８のフローチャートで示される処理に対応するプログラムによって前記第２の記録条件設定プログラムが構成されている。
【０１４５】
そして、図８のステップ６０３、ステップ６０７及びステップ６０９の処理によって請求項７に記載の発明に係る記録条件設定方法の第１工程が実施され、図８のステップ６１１の処理によって第２工程が実施され、図７のステップ５０１及びステップ５０３の処理によって第３工程が実施され、図７のステップ５０５、ステップ５０７及びステップ５０９の処理によって第４工程が実施されている。また、図７のステップ５２１、ステップ５２３及びステップ５０９の処理によって請求項８に記載の発明に係る記録条件設定方法の第５工程が実施されている。
【０１４６】
以上説明したように、本第２の実施形態に係る光ディスク装置及び記録条件設定方法によると、光ディスクに対する情報の記録時には、光ディスクからの反射光の受光結果に基づいて最適な記録パワーが求められるとともに、そのときの光源温度が検出される。そして、求められた最適な記録パワーとそれに対応する光源温度とがフラッシュメモリ４３に記録される。それにより、フラッシュメモリ４３には、情報の記録が行われる度に、最適な記録パワーとそれに対応する光源温度とが履歴情報として蓄積されることとなる。さらに、情報の記録開始前には、光源温度が検出され、その光源温度がフラッシュメモリ４３に記録されている光源温度のいずれかと一致するか否かが判断される。その判断の結果、一致している場合には、検出された光源温度に対応する最適な記録パワーがフラッシュメモリ４３から抽出され、記録条件として設定される。従って、情報の記録開始前に検出された光源温度が、前回記録条件を設定したときの光源温度と異なっていても、試し書き領域を消費することなく、新たに最適な記録条件を設定することができる。また、情報の記録開始前に試し書きを行う必要がないため、迅速に記録処理に移行することができる。さらに、豊富な履歴情報をフラッシュメモリ４３に有しているために、検出された光源温度がフラッシュメモリ４３に記録されている光源温度のいずれかと一致する確率が高くなる。その結果として、記録品質の低下を抑制し、良好な記録品質を安定して得ることが可能となる。
【０１４７】
また、本第２の実施形態によると、検出された光源温度がフラッシュメモリ４３に記録されている光源温度のいずれかと一致していない場合には、フラッシュメモリ４３に記録されている光源温度と最適な記録パワーとの複数組の組み合わせに基づいて、検出された光源温度に対応する最適な記録パワーを推定し、その最適な記録パワーを記録条件として設定している。これにより、光ディスクに情報を記録する際の光源温度に対応する履歴情報が存在しない場合であっても、精度良く記録パワーを求めることができる。
【０１４８】
また、本第２の実施形態によると、最適な記録パワー、光源温度と共にディスクＩＤをフラッシュメモリ４３に記憶している。これにより、例えば光ディスク装置２０の電源がオフ・オンされたり、光ディスク１５が一旦取り出された後に、再度光ディスク装置２０にセットされた場合であっても、ＯＰＣを再度実施する必要がないため、試し書き領域の消費を減らすことができる。
【０１４９】
また、本第２の実施形態に係る光ディスク装置によると、記録条件を設定する際に、光源温度に応じて最適な記録パワーを求めているために、結果として記録品質に優れた記録を安定して行うことが可能となる。
【０１５０】
なお、上記第２の実施形態では、検出した光源温度と一致する光源温度の履歴情報がないときには、その度に光源温度と最適な記録パワーとの関係を求める場合について説明したが、本発明がこれに限定されるものではない。例えば新たな履歴情報を取得したときに光源温度と最適な記録パワーとの関係を求めておき、記録パワーを設定するときには、予め求められている光源温度と最適な記録パワーとの関係を利用しても良い。これにより、処理時間を短縮することができる。
【０１５１】
また、上記第２の実施形態では、情報の記録時の光ディスクからの反射光の受光結果に基づいて得られた最適な記録パワーと、そのときの光源温度とが履歴情報としてフラッシュメモリに記録する場合について説明したが、更にＯＰＣを実行したときの得られた最適な記録パワーと、そのときの光源温度とを履歴情報としてフラッシュメモリに記録しても良い。これにより更に履歴情報が増加することとなり、記録条件の精度を向上させることができる。
【０１５２】
また、上記第２の実施形態では、第２の記録条件決定プログラムは、ＲＯＭ３９に記録されているが、他の記録媒体（ＣＤ−ＲＯＭ、光磁気ディスク、フラッシュメモリ、フレキシブルディスク等）に記録されていても良い。この場合には、各記録媒体に対応するドライブ装置を付加し、各ドライブ装置から第２の記録条件設定プログラムをインストールすることとなる。要するに、第２の記録条件設定プログラムがＣＰＵ４０のメインメモリにロードされれば良い。
【０１５３】
なお、上記各実施形態では、記録条件として記録パワーを決定する場合について説明したが、本発明がこれに限定されるものではない。例えばパルス形状を決定する場合に本発明を適用しても良い。
【０１５４】
また、上記各実施形態では、記憶手段としてフラッシュメモリを用いる場合について説明したが、これに限らず、例えばＥＥＰＲＯＭなどであっても良い。要するに、不揮発性を有するメモリであれば良い。
【０１５５】
また、上記各実施形態では、情報の記録及び再生が可能な光ディスク装置について説明したが、これに限らず、情報の記録、再生及び消去のうち少なくとも記録が可能な光ディスク装置であれば良い。
【０１５６】
また、上記各実施形態では、光源が１つの場合について説明したが、本発明がこれに限定されるものではない。例えば波長が４０５ｎｍの光束を出射する光源、波長が６５０ｎｍの光束を出射する光源及び波長が７８０ｎｍの光束を出射する光源のうち少なくとも２つの光源が用いられても良い。
【０１５７】
【発明の効果】
以上説明したように、本発明に係る記録条件設定方法によれば、記録品質の低下を抑制し、良好な記録品質を安定して得ることができるという効果がある。
【０１５８】
また、、本発明に係るプログラム及び記録媒体によれば、情報記録装置の制御用コンピュータにて実行され、記録品質の低下を抑制し、良好な記録品質を安定して得ることができるという効果がある。
【０１５９】
また、本発明に係る情報記録装置によれば、記録品質に優れた記録を安定して行うことができるという効果がある。
【図面の簡単な説明】
【図１】本発明の第１の実施形態に係る光ディスク装置の構成を示すブロック図である。
【図２】図１における光ピックアップ装置の詳細構成を説明するためのブロック図である。
【図３】図１におけるレーザコントロール回路の詳細構成を説明するためのブロック図である。
【図４】フラッシュメモリに格納されている温度−パワーテーブルの一例を説明するための図である。
【図５】本発明の第１の実施形態に係る記録条件設定処理を説明するためのフローチャートである。
【図６】光源温度と最適な記録パワーとの相関関係を説明するための図である。
【図７】本発明の第２の実施形態に係る記録条件設定処理（その１）を説明するためのフローチャートである。
【図８】本発明の第２の実施形態に係る記録条件設定処理（その２）を説明するためのフローチャートである。
【符号の説明】
１５…光ディスク（情報記録媒体）、２０…光ディスク装置（情報記録装置）、３９…ＲＯＭ（記録媒体）、４０…ＣＰＵ（同定情報取得手段、履歴情報取得手段、記録パワー設定手段、記録手段、第１の判断手段、同定情報記録手段、温度範囲設定手段、第２の判断手段、第１の設定手段、履歴取得手段、履歴記録手段、判断手段、第１の記録パワー取得手段、第２の記録パワー取得手段）、４２…温度センサ（温度検出手段）、４３…フラッシュメモリ（記憶手段）。
【図１】
2004086945.tif 000003
【図２】
2004086945.tif 000004
【図３】
2004086945.tif 000005
【図４】
2004086945.tif 000006
【図５】
2004086945.tif 000007
【図６】
2004086945.tif 000008
【図７】
2004086945.tif 000009
【図８】
2004086945.tif 000010